(57)【特許請求の範囲】
【請求項１】
液体洗剤組成物であって、
０．０１〜４０重量％の水、有益剤を含むマイクロカプセル及び少なくとも２つのアニオン部位を有するイオン種を含み、前記少なくとも２つのアニオン部位を有する前記イオン種によって提供されるイオン強度が、０．０４５ｍｏｌ／ｋｇを超え、前記有益剤が、１５％未満の香料原料が３より低いＣｌｏｇ  Ｐと２５０℃より低い沸点を有し、残りの香料原料が２５０℃より高い沸点を有するように選択された香料原料であり、前記イオン種が、オキシジコハク酸、アコニット酸、クエン酸、酒石酸、リンゴ酸、マレイン酸、フマル酸、コハク酸、セパシン酸、アジピン酸、イタコン酸及びこれらの混合物からなる群から選択され、かつ前記組成物が、水溶性フィルムに包まれている、液体洗剤組成物。
【請求項２】
前記組成物が、１〜２５重量％の水を含む、請求項１に記載の液体洗剤組成物。
【請求項３】
少なくとも２つのカチオン部位を含む正電荷イオンを更に含む、請求項１または２に記載の液体洗剤組成物。
【請求項４】
前記マイクロカプセルが、脱イオン水中に分散されたときに−０．１〜−１００ｍｅＶのゼータ電位を有する、請求項１〜３のいずれか一項に記載の液体洗剤組成物。
【請求項５】
酵素を更に含む、請求項１〜４のいずれか一項に記載の液体洗剤組成物。
【請求項６】
前記水溶性フィルムが、ポリビニルアルコール、ポリ酢酸ビニル及びこれらの混合物から選択される、請求項１に記載の液体洗剤組成物。
【発明の詳細な説明】
【技術分野】
【０００１】
本出願は、香料マイクロカプセルを含む組成物及び洗剤組成物におけるその安定性に関する。
【背景技術】
【０００２】
香料、シリコーン、ワックス、芳香剤、ビタミン及び布地柔軟化剤のような有益剤は高価であるが、一般に、パーソナルケア組成物、洗浄組成物及び布地ケア組成物の中に高濃度で使用される場合、あまり効果がない。結果として、このような有益剤の効率を最大限にすることが望ましい。係る目的を達成する１つの方法は、有益剤の送達効率と有効寿命を改善することである。このことはマイクロカプセルの成分として有益剤を提供することにより実現され得る。
【０００３】
マイクロカプセルはいくつかの利益を提供する。それらは有益剤を組成物中の非相溶性成分との物理又は化学反応、揮発若しくは蒸発から保護する利益を持つ。マイクロカプセルは有益剤を基材に送達し、布地が乾燥するなどの所望の条件下で破裂するという更なる利点を有する。マイクロカプセルは香料の送達及び保存において特に効果的である。香料はマイクロカプセルにより布地に送達され、その中に保持され、マイクロカプセルは布地が乾燥したときにのみ破裂して香料を放出する。
【０００４】
マイクロカプセルは、有益剤を非水溶性多孔性担体に担持するか、又は有益剤を非水溶性シェルに封入するかのどちらかにより作製される。後者の範疇のマイクロカプセル封入剤は、例えば、ＧＢ−Ａ−Ｏ  ７５１  ６００、ＵＳ−Ａ−３  ３４１  ４６６及びＥＰ−Ａ−０  ３８５  ５３４に記載されるようなコアセルベアートなどの、界面におけるポリマーの沈殿及び堆積により作製されるか、又はＵＳ−Ａ−３  ５７７  ５１５、ＵＳ−Ａ−２００３／０１２５２２２、ＵＳ−Ａ−６  ０２０  ０６６、Ｗ０２００３／１０１６０６、ＵＳ−Ａ−５  ０６６  ４１９に記載されるような界面縮合などの他の重合経路により作製される。カプセル封入化の特に有用な手段は、ＵＳ−Ａ−３  ５１６  ９４１、ＵＳ−Ａ−５  ０６６  ４１９及びＵＳ−Ａ−５  １５４  ８４２に記載されるメラミン／尿素−ホルムアルデヒド縮合反応を用いるものである。係るカプセルは、最初にメラミン／尿素及びホルムアルデヒドの反応により得られた前縮合媒体中で有益剤を小さな液滴に乳化させ、次いで、油水界面での沈殿に同調する重合反応を進行させる。次に、サイズが数マイクロメートルから１ミリメートルの範囲のカプセルが、水性媒体中の浮遊物の形で得られる。
【０００５】
しかしながら、洗剤組成物にマイクロカプセルを組み込むことに関する最も困難な問題は、その安定性である。有益剤、特に香料は、時間の経過によりマイクロカプセル内から漏れ出る。これは、ほとんどの洗剤組成物がそうであるように、組成物が界面活性剤と溶媒を含むときに特に当てはまる。出願人は、驚くべきことに組成物の構造に、この問題に対する解決策を見出した。
【発明の概要】
【課題を解決するための手段】
【０００６】
本発明によれば、０．０１〜４０重量％の水、有益剤を含むマイクロカプセル及び少なくとも２つのアニオン部位を有するイオン種を含み、少なくとも２つのアニオン部位を有するイオン種によって提供されるイオン強度が、０．０４５ｍｏｌ／ｋｇより大きい液体洗剤組成物が提供される。
【発明を実施するための形態】
【０００７】
本発明の液体組成物は、硬表面洗浄としての使用に好適なことが好ましいが、洗濯処理組成物であることが好ましい。
【０００８】
用語「液体」は、ニュートン的又は非ニュートン的なレオロジーを有する粘稠な又は流動性の液体及びゲルを含むことを意味する。その組成物は容器中か、カプセル封入された単位化された用量として包装され得る。後者については以下に、より詳細に記述する。液体組成物は、実質的に非水性である。非水性によって、本発明の組成物が、総量２０％未満の水、好ましくは総量１〜１５％の水、最も好ましくは総量１〜１０％の水を含むことが理解される。総量の水によって、自由水と結合水の両方を意味することが理解される。水溶性フィルムの中に液体組成物を包装した単位化用量製品で使用される組成物は、非水性と記述されることが多い。
【０００９】
本発明の組成物は、２０ｓ−１及び２１℃において、好ましくは１〜１００００センチポアズ（１〜１００００ｍＰａ．ｓ）、より好ましくは１００〜７０００センチポアズ（１００〜７０００ｍＰａ．ｓ）、最も好ましくは２００〜１５００センチポアズ（２００〜１５００ｍＰａ．ｓ）の粘度を有する。粘度は、従来の方法で測定できる。しかしながら、粘度は、本発明によれば、直径４０ｍｍの平板鋼スピンドルと５００μｍのギャップサイズを使用するＴＡ  ｉｎｓｔｒｕｍｅｎｔｓによるＡＲ  ５５０レオメータを使用して測定される。
【００１０】
マイクロカプセル
本発明の組成物は、マイクロカプセルを含む。より好ましくは、マイクロカプセルは、有益剤を含む。マイクロカプセルは、好ましくはコア材料と、そのコアを少なくとも部分的に取り囲む壁材料とを含む。
【００１１】
一態様では、そのマイクロカプセルの少なくとも７５％、８５％又は９０％が、約１マイクロメートル〜約８０マイクロメートル、約５マイクロメートル〜６０マイクロメートル、約１０マイクロメートル〜約５０マイクロメートル、更には約１５マイクロメートル〜約４０マイクロメートルの粒径を有してよい。別の態様では、その有益剤送達粒子の少なくとも７５％、８５％又は９０％が、約６０ｎｍ〜約２５０ｎｍ、約８０ｎｍ〜約１８０ｎｍ、又は約１００ｎｍ〜約１６０ｎｍの粒子壁厚さを有してよい。
【００１２】
一態様では、その有益剤は、香料原料、シリコーン油、ろう、炭化水素、高級脂肪酸、芳香油、脂質、皮膚冷却剤、ビタミン、日焼け止め剤、酸化防止剤、グリセリン、触媒、漂白剤粒子、二酸化ケイ素粒子、悪臭低減剤、染料、光沢剤、抗菌活性剤、制汗活性剤、カチオン性高分子及びこれらの混合物からなる群から選択される材料を含んでよい。一態様では、その有益剤は、香料原料である。更に他の態様では、香料原料は、アルコール、ケトン、ホルムアルデヒド、エステル、エーテル、ニトリルアルケンからなる群から選択される。有益剤は、香料原料及び／又は、任意に、ひまし油、やし油、綿実油、ブドウ油、菜種油、大豆油、トウモロコシ油、パーム油、亜麻仁油、サフラワー油、オリーブ油、落花生油、やし油、パーム核油、ひまし油、レモン油及びこれらの混合物を含む単一及び／又は混合植物油；植物油のエステル、アジピン酸ジブチル、フタル酸ジブチル、アジピン酸ブチルベンジル、アジピン酸ベンジルオクチル、リン酸トリクレシル、リン酸トリオクチルを含むエステル、及びこれらの混合物；約８０℃を超える沸点を有する直鎖又は分枝鎖炭化水素を含む直鎖又は分枝鎖炭化水素；部分水素化テルフェニル、フタル酸ジアルキル、モノイソプロピルビフェニールを含むアルキルビフェニール、ジプロピルナフタリンを含むアルキル化ナフタリン、灯油、鉱油及びこれらの混合物を含む石油精；ベンゼン、トルエン及びこれらの混合物を含む芳香属溶媒；シリコーン油；及びこれらの混合物からなる群から選択される材料であることが好ましい。
【００１３】
一態様では、そのマイクロカプセル壁材料は、アルデヒドとアミンの反応生成物を含む好適な樹脂を含んでよく、好適なアルデヒドには、ホルムアルデヒドが挙げられる。好適なアミンには、メラミン、尿素、ベンゾグアナミン、グリコールウリル、及びこれらの混合物が挙げられる。好適なメラミンには、メチロールメラミン、メチル化メチロールメラミン、イミノメラミン及びこれらの混合物が挙げられる。好適な尿素には、ジメチロール尿素、メチル化ジメチロール尿素、尿素−レゾルシノール、及びこれらの混合物が挙げられる。作成に好適な材料は、Ｓｏｌｕｔｉａ  Ｉｎｃ．（Ｓｔ  Ｌｏｕｉｓ、Ｍｉｓｓｏｕｒｉ  Ｕ．Ｓ．Ａ．）、Ｃｙｔｅｃ  Ｉｎｄｕｓｔｒｉｅｓ（Ｗｅｓｔ  Ｐａｔｅｒｓｏｎ、Ｎｅｗ  Ｊｅｒｅｓｙ  Ｕ．Ｓ．Ａ．）、及びｓｉｇｍａ−Ａｌｄｒｉｃｈ（Ｓｔ  Ｌｏｕｉｓ、Ｍｉｓｓｏｕｒｉ  Ｕ．Ｓ．Ａ．）の会社のうちの１つ以上から得ることができる。ポリオール部分、特に芳香族ポリオール部分を含むメラミン−５ホルムアルデヒドアミノプラストターポリマーを含むマイクロカプセルを調製できることが発見されている。したがって、有益剤、好ましくは芳香剤のコア及びアミノプラスト高分子のシェルを含むマイクロカプセルが提供され、シェルの組成物は、５０〜９０％、好ましくは６０〜８５％のターポリマーと、１０〜５０％、好ましくは１０〜２５％の高分子安定剤とからなる７５〜１００％の熱硬化性樹脂であり、ターポリマーは、（ａ）２０〜６０％、好ましくは３０〜５０％の少なくとも１つのポリアミン由来の部分と、（ｂ）３〜５０％、好ましくは５〜２５％の少なくとも１つの芳香族多価アルコール由来の部分と、（ｃ）１〜６個のメチレン単位、好ましくは１〜４個のメチレン単位及び最も好ましくは１個のメチレン単位を有するアルキレン及びアルキレノキシ部分、ジメトキシメチレン、並びにジメトキシメチレンとからなる群から選択される２０〜７０％、好ましくは４０〜６０％の部分を含む。「部分」は、ターポリマーの一部であり特定の分子由来の化学物質を意味する。好適なポリアミン部分の例には、尿素、メラミン、３−置換１，５−３０−ジアミノ−２，４，６−トリアジン及びグリコウリル由来のものが挙げられるが、これらに限定されない。好適な芳香族ポリオール部分の例には、フェノール、３，５−ジヒドロキシトルエン、ビスフェノールＡ、レゾルシノール、ヒドロキノン、キシレノール、多価ナフタリン及びセルロースとフミン酸の分解によって生じるポリフェノール由来のもが挙げられるが、これらに限定されない。
【００１４】
用語「由来の」を用いることは、必ずしもターポリマー中の部分が当該物質自体から直接由来することを意味しないが、そうである場合がある（また、しばしばそうである）。実際、ターポリマーを調製するより好都合な方法の１つには、アルキロール化ポリアミンを出発物質として用いることが挙げられ、これらは、単一分子中で前述の部分（ａ）及び（ｃ）の両方が組み合わさる。
【００１５】
好適なアルキロール化ポリアミンは、モノ又はポリアルキロール化ポリアミンの混合物を含み、これは、１〜６個のメチレン単位を有するアルコールで部分的にアルキル化されてよい。特に本発明に好適なアルキル化ポリアミンには、モノ及びポリメチロール尿素プレ縮合物、例えば登録商標ＵＲＡＣ（例えばＣｙｔｅｃ  Ｔｅｃｈｎｏｌｏｇｙ  Ｃｏｒｐ．）で市販されているもの、及び／又は部分的にメチル化されたモノ及びポリメチロール−１，３，５−トリアミノ−２，４，６−トリアジンプレ縮合物、例えば登録商標ＣＹＭＥＬ（例えばＣｙｔｅｃ  Ｔｅｃｈｎｏｌｏｇｙ  Ｃｏｒｐ．）又はＬＵＲＡＣＯＬＬ（例えばＢＡＳＦ）で市販されているもの、及び／又はモノ及びポリアルキロール−ベンゾグアナミンプレ縮合物、及び／又はモノ及びポリアルキロール−グリコウリルプレ縮合物が挙げられる。これらのアルキロール化ポリアミンは、典型的には１〜６個のメチレン単位を有する短鎖アルコールを加えることによって得られる部分的にアルキル化された形態で提供され得る。これらの部分的にアルキル化された形態は、保管中、反応性が比較的低く、したがってより安定であることが知られている。好ましいポリアルキロール−ポリアミンは、ポリメチロール−メラミン及びポリメチロール−１−（３，５−ジヒドロキシ−メチルベンジル）−３，５−トリアミノ−２，４，６−トリアジンである。
【００１６】
高分子安定剤は、マイクロカプセルの凝集を防止するために使用されることがあり、したがって保護コロイドとして働く。これは、重合前にモノマー混合物に加えられ、その結果、高分子によって部分的に保持される。好適な高分子安定剤の特定の例には、スルホン酸塩基を保有するアクリル系コポリマー、例えば登録商標ＬＵＰＡＳＯＬ（例えばＢＡＳＦ）、例えばＬＵＰＡＳＯＬ  ＰＡ  １４０又はＬＵＰＡＳＯＬ  ＶＦＲとして市販されているもの；アクリルアミド及びアクリル酸のコポリマー、アルキルアクリレート及びＮ−ビニルピロリドンのコポリマー、例えば登録商標Ｌｕｖｉｓｋｏｌ（例えばＬＵＶＩＳＫＯＬ  Ｋ  １５、Ｋ  ３０又はＫ  ９０、例えばＢＡＳＦ）で市販されているもの；ポリカルボン酸ナトリウム（例えばＰｏｌｙｓｃｉｅｎｃｅ  Ｉｎｃ．）又はポリ（スチレンスルホン酸）ナトリウム（例えばＰｏｌｙｓｃｉｅｎｃｅ  Ｉｎｃ．）；ビニル及びメチルビニルエーテル−無水マレイン酸コポリマー（例えばＡＧＲＩＭＥＲ＆＃８４８２、ＶＥＭＡ＆＃８４８２、ＡＮ、例えばＩＳＰ）及びエチレン、イソブチレン又はスチレン−無水マレイン酸コポリマーが挙げられる。したがって、好ましい高分子安定剤は、アニオン性高分子電解質である。
【００１７】
前述のタイプのマイクロカプセルは、水性スラリーの形態で製造され、典型的には２０〜５０％の固形分、より典型的には３０〜４５％の固形分を有し、ここで用語「固形分」は、マイクロカプセルの合計重量を表す。スラリーは、配合助剤、例えば安定化及び粘性制御親水コロイド、殺生物剤、及び追加のホルムアルデヒド捕捉剤を含んでよい。
【００１８】
典型的には、親水コロイド又は乳化剤は、有益剤、とりわけ香料の乳化過程で使用される。そのようなコロイドは、凝固、沈降及びクリーミングに対するスラリーの安定性を改善する。用語「親水コロイド」は、アニオン性、カチオン性、両性イオン性、又は非イオン性特徴を有する広範囲の水溶性又は水分散性ポリマーを指す。その親水コロイド／乳化剤は、カルボキシ、ヒドロキシル、チオール、アミン、アミド及びこれらの組み合わせからなる群から選択される部分を含んでよい。本発明に有用な親水コロイドは、以下のものを包含する：ポリ炭水化物、例えばデンプン、改質デンプン、デキストリン、マルトデキストリン、及びセルロース誘導体、及びこれらの四級化形態；天然ゴム、例えばアルギン酸エステル、カラギーナン、キサンタン、寒天、ペクチン、ペクチン酸、及び天然ゴム、例えばアラビアゴム、トラガカントゴム及びカラヤゴム、グアーガム及び四級化グアーガム；ゼラチン、タンパク質加水分解物及びこれらの四級化形態；合成ポリマー及びコポリマー、例えばポリ（ビニルピロリドン−コ−酢酸ビニル）、ポリ（ビニルアルコール−コ−酢酸ビニル）、ポリ（（メタ）アクリル酸）、ポリ（マレイン酸）、ポリ（アルキル（メタ）アクリレート−コ−（メタ）アクリル酸）、ポリ（アクリル酸−コ−マレイン酸）コポリマー、ポリ（アルキレンオキシド）、ポリ（ビニルメチルエーテル）、ポリ（ビニルエーテル−コ−無水マレイン酸）など、及びポリ−（エチレンイミン）、ポリ（（メタ）アクリルアミド）、ポリ（アルキレンオキシド−コ−ジメチルシロキサン）、ポリ（アミノジメチルシロキサン）など、及びこれらの四級化形態。一態様では、その乳化剤は、５未満、好ましくは０を超えるが５未満のｐＫａを有してよい。乳化剤には、アクリル酸アルキルアクリレートコポリマー、ポリ（アクリル酸）、ポリオキシアルキレンソルビタン脂肪酸エステル、ポリアルキレンコカルボキシ無水物、ポリアルキレンコマレイン無水物、ポリ（メチルビニルエーテル−コ−マレイン無水物）、ポリ（ブタジエン−コ−マレイン無水物）、及びポリ（酢酸ビニルコマレイン無水物）、ポリビニルアルコール、ポリアルキレングリコール、ポリオキシアルキレングリコール及びこれらの混合物が挙げられる。最も好ましくは、親水コロイドは、ポリアクリル酸又は変性ポリアクリル酸である。コロイドのｐＫａは、好ましくは４〜５であり、したがって、カプセルは、ＰＭＣスラリーが５．０を超えるｐＨを有するときに負電荷を有する。
【００１９】
マイクロカプセルは、１５％未満、好ましくは１０％未満、最も好ましくは５％未満の名目上のシェル対コア質量比を有することが好ましい。したがって、マイクロカプセルは、極めて薄く脆弱なシェルを有してよい。シェル対コア比は、事前に水で洗浄され濾過によって分離されたカプセル化香油マイクロカプセルの有効量を測定することによって得られる。これは、マイクロ波強化溶媒抽出によって濡れたマイクロカプセルケーキを抽出し、その後の抽出物のガスクロマトグラフ分析によって達成される。
【００２０】
最も好ましくは、有益剤は、アミノプラストカプセル内にカプセル化され、カプセルシェルは、尿素ホルムアルデヒド又はメラミン−ホルムアルデヒドポリマーを含む。より好ましくは、マイクロカプセルは、更に、１つ以上の無水物（無水マレイン酸又はエチレン／無水マレイン酸コポリマーなど）のポリマー又はコポリマーからなる第２の高分子で被覆されるか又は部分的に被覆される。
【００２１】
本発明のマイクロカプセルは、正帯電されてもよく負帯電されてもよい。しかしながら、本発明のマイクロカプセルは、脱イオン水中に分散したときに、負帯電し、−０．１ｍｅＶ〜−１００ｍｅＶのゼータ電位を有することが好ましい。「ゼータ電位」（ｚ）は、特殊な測定技術によって測定される、溶液中の帯電物体によって生成される見掛けの静電位を意味する。ゼータ電位の論理的基本及び実際の関連性の詳細な考察は、例えば、「Ｃｏｌｌｏｉｄ  Ｓｃｉｅｎｃｅ：Ｚｅｔａ  Ｐｏｔｅｎｔｉａｌ  ｉｎ  Ｃｏｌｌｏｉｄ  Ｓｃｉｅｎｃｅｓ：Ｐｒｉｎｃｉｐｌｅｓ  ａｎｄ  Ａｐｐｌｉｃａｔｉｏｎｓ」（Ｈｕｎｔｅｒ  Ｒｏｂｅｒｔ  Ｊ．；Ｅｄｉｔｏｒ．；Ｐｕｂｌｉｓｈｅｒ（Ａｃａｄｅｍｉｃ  Ｐｒｅｓｓ，Ｌｏｎｄｏｎ）；１９８１；ｐ  １９８８）に見ることができる。物体のゼータ電位は、物体の表面からある程度の距離で測定され、一般に表面自体での静電位を超えない。しかしながら、その値は、溶液中にある他の物体、特に複数の結合部位を有する分子との静電的相互作用を確立する物体の能力の好適な尺度を提供する。ゼータ電位は、相対測定値であり、その値は、測定方法に依存する。この場合、マイクロカプセルのゼータ電位は、Ｍａｌｖｅｒｎ  Ｚｅｔａｓｉｚｅｒ装置（Ｍａｌｖｅｒｎ  Ｚｅｔａｓｉｚｅｒ  ３０００；Ｍａｌｖｅｒｎ  Ｉｎｓｔｒｕｍｅｎｔｓ  Ｌｔｄ；Ｗｏｒｃｅｓｔｅｒｓｈｉｒｅ  ＵＫ、ＷＲ１４  １ＸＺ）を使用するいわゆる位相解析光散乱法によって測定される。所定の物体のゼータ電位はまた、溶液中に存在するイオンの量に依存することもある。本出願に示されたゼータ電位の値は、帯電マイクロカプセルの対イオンだけが存在する脱イオン水中で測定される。
【００２２】
より好ましくは、本発明のマイクロカプセルは、−１０ｍｅＶ〜−８０ｍｅＶ、最も好ましくは−２０ｍｅＶ〜−７５ｍｅＶのゼータ電位を有する。
【００２３】
ゼータ電位：本明細書及び請求項の目的のため、ゼータ電位を以下のように測定する：
ａ．）装置：Ｍａｌｖｅｒｎ  Ｚｅｔａｓｉｚｅｒ  ３０００
ｂ．）試料調製手順
（ｉ）対象とするカプセルを含有しているスラリー５滴を１ｍＭのＮａＣｌ溶液２０ｍＬに加え、スラリーを希釈する。濃度は、計測率が５０〜３００Ｋｃｐｓの範囲になるよう調節する必要がある。  
（ｉｉ）希釈した試料のゼータ電位を、試料を濾過せずに測定する。  
（ｉｉｉ）濾過したスラリーをＺｅｔａｓｉｚｅｒセルに注入し、セルを装置に挿入する。試験温度を２５℃に設定する。  
（ｉｖ）温度が安定してから（通常３〜５分後）測定を開始する。それぞれの試料について、５回の測定を行う。対象とするそれぞれのスラリーについて、３つの試料を測定する。１５回分の読み取り値の平均を計算する。  
ｃ．）測定用装置の設定：
【表１】
0005635619.tif 000002
ｄ．）結果：ゼータ電位は、対象とするスラリーについて採取した１５回の読み取り値の平均としてｍＶ単位で報告する。
【００２４】
一態様では、そのマイクロカプセルは、香料有益剤を含むことが好ましい。香料は、約２５０℃より低い沸点（Ｂ．Ｐ．）及び約３より低いＣｌｏｇＰを有する香料原料、約２５０℃より高いＢ．Ｐ．及び約３より高いＣｌｏｇＰを有する香料原料、約２５０℃より高いＢ．Ｐ．及び約３より低いＣｌｏｇＰを有する香料原料、約２５０℃より低いＢ．Ｐ．及び約３より高いＣｌｏｇＰを有する混合物及びこれらの混合物からなる群から選択される香料原料を含んでよい。約２５０℃より低い沸点Ｂ．Ｐ．及び約３より低いＣｌｏｇＰを有する香料原料は、Ｑｕａｄｒａｎｔ  Ｉ香料原料として知られる。Ｑｕａｄｒａｎｔ  Ｉ香料原料は、香料組成物の３０％未満に限定されることが好ましい。約２５０℃より高いＢ．Ｐ．及び約３より高いＣｌｏｇＰを有する香料原料は、Ｑｕａｄｒａｎｔ  ＩＶ香料原料として知られ、約２５０℃より高いＢ．Ｐ．及び約３より低いＣｌｏｇＰを有する香料原料は、Ｑｕａｄｒａｎｔ  ＩＩ香料原料として知られ、約２５０℃より低いＢ．Ｐ．及び約３より高いＣｌｏｇＰを有する香料原料は、Ｑｕａｄｒａｎｔ  ＩＩＩ香料原料として知られる。好適なＱｕａｄｒａｎｔ  Ｉ、ＩＩ、ＩＩＩ及びＩＶ香料原材料は、米国特許第６，８６９，９２３（Ｂ１）号に開示されている。
【００２５】
マイクロカプセル及びスラリー含有マイクロカプセル製造のプロセス
マイクロカプセルは市販品として入手可能である。そのマイクロカプセルの製造のプロセスは当技術分野において記載されている。好適なマイクロカプセルのより具体的な製造プロセスは、ＵＳ  ６，５９２，９９０  Ｂ２及び／又はＵＳ  ６，５４４，９２６  Ｂ１、及び本明細書に開示される実施例に記載されている。
【００２６】
本発明のスラリーは、この製造工程から得られる組成物である。そのスラリーは、マイクロカプセル、水及びマイクロカプセル製造のための前駆体物質を含む。スラリーは、重合過程の活性剤及び／又はｐＨ緩衝剤などの、他の副次的成分を含んでよい。ホルムアルデヒド捕捉剤をスラリーに加えてよい。
【００２７】
イオン種
本発明の組成物は、少なくとも２つのアニオン部位を有するイオン種を含む。理論によって拘束されることを望むものではないが、この組成物のイオン種は、何らかの方法でマイクロカプセルを保護していると考えられる。イオン種は、マイクロカプセルのまわりに完全又は部分的に障壁層を形成する。イオン種は、更に、いくつかの例では、組成物中のカチオンイオンとの相互作用によって支援されると考えられる。
【００２８】
本発明の一態様では、イオン種は、２つ以上のアニオン部位を有するカルボン酸、ポリカルボン酸塩、リン酸塩、フォスフォン酸塩、ポリリン酸塩、ポリスルホン酸塩、ホウ酸塩及びこれらの混合物からなる群から選択される。一態様では、イオン種は、オキシジコハク酸、アコニット酸、クエン酸、酒石酸、リンゴ酸、マレイン酸、フマル酸、コハク酸、セパシン酸、シタコン酸、アジピン酸、イタコン酸、ドデカン酸、及びこれらの混合物からなる群から選択される。本発明のその他の態様では、組成物は、アクリル酸及びマレイン酸のアクリル酸ホモポリマーとコポリマー及びこれらの混合物からなる群から選択される。
【００２９】
本発明の好ましい態様では、組成物は、少なくとも２つのカチオン部位を含む正帯電イオンを含む。一般に、そのようなイオンは、組成物の溶媒又は組成物原料の構成成分として使用される水の中にある。同様に、そのようなイオンは、組成物の活性成分の対イオンでもよい。あるいは、そのようなイオンは、組成物に加えられてもよい。本発明の一態様では、正帯電イオンは、カルシウム、マグネシウム、鉄、マンガン、コバルト、銅、亜鉛イオン及びこれらの混合物から選択される。
【００３０】
組成物中には、０．０４５ｍｏｌ／ｋｇを超えるイオン強度を提供するように少なくとも２つのアニオン部位を有するイオン種が存在する。より好ましくは、少なくとも２つのアニオン部位を有するイオン種によって提供されるイオン強度は、０．０５〜２ｍｏｌ／ＫＧ、最も好ましくは０．０７〜０．５ｍｏｌ／ｋｇである。イオン強度は、以下の式によって計算される。
【数１】
0005635619.tif 000003
ここで、Ｃｉは、最終生成物中のイオン種の濃度（ｍｏｌ／ｋｇ）、ｚは、イオン種の電荷である。
【００３１】
任意の組成物成分
本発明の液体組成物は以下に示す任意成分の列記から選択される、その他の成分を含んでよい。本明細書の以下において特に指示しない限り、特定の洗濯助剤の「有効な量」は、洗剤組成物の、好ましくは０．０１重量％から、より好ましくは０．１重量％から、更により好ましくは１重量％から、２０重量％まで、より好ましくは１５重量％まで、更により好ましくは１０重量％まで、更により好ましくは７重量％まで、最も好ましくは５重量％までである。
【００３２】
６個を超える炭素を含むアルキル又はアルケニル鎖を含む成分
本発明による組成物は、６個を超える炭素を有するアルキル又はアルケニル鎖を含む１つ又は複数の成分を含むことが好ましい。より好ましくは、組成物は、６個を超える炭素を有するアルキル又はアルケニル鎖を含む１０〜９０重量％の１つ又は複数の成分を含む。より好ましくは、６個を超える炭素を有するアルキル又はアルケニル鎖を含む２０〜８０重量％、より好ましくは３０〜７０重量％の１つ又は複数の成分を含む。
【００３３】
界面活性剤に限定されないが、６個を超える炭素を有するアルキル又はアルケニル鎖を含む成分は、好ましくは界面活性剤である。利用される界面活性剤は、アニオン性、非イオン性、両性イオン性、両性又はカチオンタイプでもよく、これらのタイプの相溶性混合物を含んでよい。より好ましくは、界面活性剤は、アニオン性、非イオン性、カチオン性の界面活性剤、及びこれらの混合物からなる群から選択される。好ましくは、組成物は、ベタイン界面活性剤を実質的に含まない。本明細書で有用な洗浄性界面活性剤は、米国特許第３，６６４，９６１号（Ｎｏｒｒｉｓ、１９７２年５月２３日発行）、同第３，９１９，６７８号（Ｌａｕｇｈｌｉｎら、１９７５年１２月３０日発行）、同第４，２２２，９０５号（Ｃｏｃｋｒｅｌｌ、１９８０年９月１６日発行）、及び同第４，２３９，６５９号（Ｍｕｒｐｈｙ、１９８０年１２月１６日発行）に記載されている。アニオン性及び非イオン性の界面活性剤が好ましい。
【００３４】
有用なアニオン性界面活性剤は、それら自体が、いくつか異なる種類の界面活性剤であってよい。例えば、高級脂肪酸の水溶性塩、すなわち、「石鹸」は、本明細書の組成物において有用なアニオン性界面活性剤である。これには、約８〜約２４個の炭素原子、好ましくは約１２〜約１８個の炭素原子を含有する高級脂肪酸のナトリウム塩、カリウム塩、アンモニウム塩、及びアルキルアンモニウム塩のようなアルカリ金属石鹸が挙げられる。石鹸は、脂肪及び油の直接鹸化によって、又は遊離脂肪酸の中和によって製造することができる。特に有用であるのは、ココヤシ油及び獣脂から誘導される脂肪酸の混合物のナトリウム塩及びカリウム塩、すなわち、ナトリウム又はカリウム獣脂及びココヤシ石鹸である。石鹸も有用な構築作用を有する。
【００３５】
本明細書で使用するのに適した更なる非石鹸アニオン性界面活性剤には、その分子構造において、約１０〜約２０個の炭素原子を含むアルキル基、スルホン酸又は硫酸エステル基及び任意選択のアルコキシレーションを有する有機硫酸反応生成物の水溶性塩、好ましくはアルカリ金属、及びアンモニウム塩が挙げられる。（用語「アルキル」にはアシル基のアルキル部分が含まれる。）この群の合成界面活性剤の例は、ａ）アルキル硫酸ナトリウム、アルキル硫酸カリウム、及びアルキル硫酸アンモニウム、特に、獣脂又はココヤシ油のグリセリドの還元によって生成されるもののような高級アルコール（Ｃ８〜Ｃ１８炭素原子）の硫酸化によって得られるもの、ｂ）アルキルポリエトキシレート硫酸ナトリウム、アルキルポリエトキシレート硫酸カリウム、及びアルキルポリエトキシレート硫酸アンモニウム、特に、アルキル基が１０〜２２個、好ましくは１２〜１８個の炭素原子を含有し、ポリエトキシレート鎖が１〜１５個、好ましくは１〜６個のエトキシレート部分を含有するもの、並びにｃ）アルキル基が直鎖又は分枝鎖構造中に約９〜約１５個の炭素原子を含有する、アルキルベンゼンスルホン酸ナトリウム及びアルキルベンゼンスルホン酸カリウム、例えば、米国特許第２，２２０，０９９号及び同第２，４７７，３８３号に記載の種類のものである。とりわけ価値があるのは、アルキル基の平均炭素原子数が約１１〜１３個である、Ｃ１１〜Ｃ１３  ＬＡＳと略される、直鎖アルキルベンゼンスルホネートである。
【００３６】
好ましい非イオン性界面活性剤は、式Ｒ１（ＯＣ２Ｈ４）ｎＯＨのものであり、式中、Ｒ１は、Ｃ１０〜Ｃ１６アルキル基又はＣ８〜Ｃ１２アルキルフェニル基であり、ｎは３〜約８０である。特に好ましいのは、Ｃ１２〜Ｃ１５アルコールと、アルコール１モル当たり約５〜約２０モルのエチレンオキシドとの縮合生成物であり、例えば、Ｃ１２〜Ｃ１３アルコールをアルコール１モル当たり約６．５モルのエチレンオキシドと縮合させたものである。
【００３７】
６個を超える炭素を有するアルキル又はアルケニル鎖と７０を超える分子量を有する水混和性有機溶媒と重量比は、好ましくは１：１０〜１０：１、より好ましくは１：６〜６：１、更に好ましくは１：５〜５：１、例えば１：３〜３：１である。
【００３８】
水混和性有機溶媒
本発明の組成物は、水混和性有機溶媒を含むことが好ましい。より好ましくは、溶媒は、７０より大きい分子量を有する。好ましくは、溶媒は、組成物中に１０〜６０重量％の濃度で存在する。より好ましくは、溶媒は、組成物の２０〜５０重量％存在する。
【００３９】
好ましいそのような溶媒には、エーテル、ポリエーテル、アルキルアミン及び脂肪族アミン（特に、ジアルキル並びにトリアルキル及び／又は脂肪−Ｎ−置換アミン）、アルキル（又は脂肪）アミド及びモノ−及びジ−Ｎ−アルキル置換誘導体、アルキル（又は脂肪）カルボン酸低級アルキルエステル、ケトン、アルデヒド、ポリオール、及びグリセリドが挙げられる。
【００４０】
特定の例には、それぞれ、ジアルキルエーテル、ポリエチレングリコール、アルキルケトン（アセトンなど）及びグリセリルトリアルキルカルボキシレート（グリセリル−ｔｎ−アセテート）、グリセリロール、プロピレングリコール、及びソルビトールが挙げられる。
【００４１】
他の好適な溶媒には、ヘキサノールなどのより高次（Ｃ５以上、例えばＣ５−Ｃｇ）のアルカノールが挙げられる。より低次（Ｃ１〜Ｃ４）のアルカノールも使用可能であるが、これらはあまり好ましくなく、したがって、もし存在する場合は、好ましくは全組成物の２０重量％、より好ましくは１０重量％未満、更に好ましくは５重量％未満の量で使用される。更に他の好適な溶媒は、アルカンとオレフィンである。これらの溶媒はいずれも、前述の「好ましい」種類の分子構造を有する界面活性剤と非界面活性剤である溶媒材料と組み合わされてよい。これらの溶媒は、解膠過程で役割を果たさないと思われる場合でも、生成物の粘度を低下させかつ／又は洗浄中の汚物除去を支援するために含まれることが望ましいことが多い。
【００４２】
ホルムアルデヒド捕捉剤
本発明の組成物は、好ましくはホルムアルデヒド捕捉剤を含む。ホルムアルデヒド捕捉剤は、アセトアセトアミド、水酸化アンモニウム、アルカリ又はアルカリ土類金属亜硫酸塩、重亜硫酸塩及びこれらの混合物からなる群から選択されることが好ましい。最も好ましくは、ホルムアルデヒド捕捉剤は、亜硫酸カリウムとアセトアセトアミドの組み合わせである。本発明によるホルムアルデヒド捕捉剤は、０．００１％〜約３．０％、より好ましくは約０．０１％〜約１％の総量レベルで存在する。
【００４３】
真珠光沢剤剤
本発明の１つの実施形態では、組成物は真珠光沢剤を含み得る。好適な無機真珠光沢剤としては、雲母、金属酸化物被覆雲母、シリカ被覆雲母、オキシ塩化ビスマス被覆雲母、オキシ塩化ビスマス、ミリスチルミリステート、ガラス、金属酸化物被覆ガラス、グアニン、グリッター（ポリエステル又は金属）及びこれらの混合物からなる群から選択されるものが挙げられる。
【００４４】
布地ケア有益剤
本発明の組成物は、織物ケア有益剤を含んでよい。本明細書で使用するとき、「布地ケア有益剤」は、その材料が適切な量で衣類／布地の上にあるときに、布地ケアに効果を与えるあらゆる材料を指し、例えば、布地柔軟化、着色保護、毛玉／毛羽削減、磨耗防止、皺防止、などの効果を衣類及び布地、特に綿及び綿が多い衣類並びに布地に対して与える。布地ケア有益剤の非限定的な例としては、カチオン性界面活性剤、シリコーン、ポリオレフィンワックス、ラテックス、油性糖誘導体、カチオン性多糖類、ポリウレタン、脂肪酸及びこれらの混合物が挙げられる。
【００４５】
洗浄用酵素
本明細書における使用に適した洗浄性酵素としては、プロテアーゼ、アミラーゼ、リパーゼ、セルラーゼ、マンナナーゼ及びエンドグルカナ−ゼを含むカルボヒドラーゼ、並びにこれらの混合物が挙げられる。酵素は、その技術分野で教示される濃度、例えば、Ｎｏｖｏ及びＧｅｎｅｎｃｏｒのような供給元によって推奨される濃度で使用することができる。組成物中の典型的な濃度は、約０．０００１％〜約５％である。酵素が存在する場合、それらは特定の実施形態では、非常に低濃度、例えば、０．０００１％以下で使用でき、あるいは本発明に係る高濃度、例えば、約０．１％以上の濃度でより強力型の洗浄剤処方に使用できる。「非生物学的」洗剤を好む消費者もいるため、本発明は酵素を含有する実施形態と酵素を含まない実施形態の両方を含む。
【００４６】
沈着助剤
本明細書で使用する場合、「付着補助剤」は、洗濯中に布地ケア有益剤の布地への付着を顕著に高める、あらゆるカチオン性ポリマー若しくは両性ポリマー、又はカチオン性ポリマー及び両性ポリマーの組み合わせを指す。好ましくは、付着補助剤は、存在する場合、カチオン性又は両性ポリマーである。
【００４７】
レオロジー改質剤
本発明の好ましい実施形態では、組成物は、レオロジー改質剤を含む。一般的にレオロジー改質剤は、本明細書の組成物の、０．０１重量％〜１重量％、好ましくは０．０５重量％〜０．７５重量％、より好ましくは０．１重量％〜０．５重量％で含まれる。好ましいレオロジー改質剤には、結晶質が挙げられ、ヒドロキシル含有レオロジー改質剤には、ヒマシ油とその誘導体、ポリアクリレート、ペクチン、アルギナート、アラビノガラクタン（アラビアゴム）、カラギーナン、ゲランガム、キサンタンガム、グアーゴム及びこれらの混合物が挙げられる。
【００４８】
ビルダー
本発明の組成物は、任意でビルダーを含んでよい。好適なビルダーには、ポリカルボン酸塩ビルダー、クエン酸塩ビルダーが挙げられ、窒素含有無リンアミノカルボン酸塩には、エチレンジアミンジコハク酸とその塩（エチレンジアミンジコハク酸塩、ＥＤＤＳ）、エチレンジアミンテトラ酢酸とその塩（エチレンジアミンテトラアセテート、ＥＤＴＡ）、及びジエチレントリアミンペンタ酢酸とその塩（ジエチレントリアミンペンタアセテート、ＤＴＰＡ）、及びマレイン酸、イタコン酸、メサコン酸、フマル酸、アコニット酸、シトラコン酸及びメチレンマロニック酸などの脂肪族カルボン酸のホモ及びコポリマーの水溶性塩が挙げられる。
【００４９】
カプセル化組成物
本発明の組成物は、水溶性フィルム内にカプセル化されてよい。水溶性フィルムは、ポリビニルアルコール又は他の好適な変形物、カルボキシメチルセルロース、セルロース誘導体、デンプン、改質デンプン、砂糖、ＰＥＧ、ろう、又はこれらの組み合わせから作成されてよい。別の実施形態において、水溶性フィルムは、ビニルアルコールとカルボン酸のコポリマーを含んでよい。本明細書の水溶性フィルムは、ポリマー又はポリマー材料以外の成分も含んでよい。例えば、可塑剤、例えばグリセロール、エチレングリコール、ジエチレングリコール、プロパンジオール、２−メチル−１，３−プロパンジオール、ソルビトール及びこれらの混合物、追加の水、崩壊助剤、充填剤、消泡剤、乳化／分散剤、並びに／又はブロッキング防止剤を加えることが有益であり得る。パウチ又は水溶性フィルム自体が、洗浄水に供給されるべき洗剤添加物、例えば、有機ポリマー性の汚れ放出剤、分散剤、移染防止剤などを含むことが有用であり得る。所望により、パウチのフィルム表面に微細粉末を散布して、摩擦係数を減少させてよい。アルミノケイ酸ナトリウム、シリカ、タルク及びアミロースは、好適な微細粉末の例である。
【００５０】
本発明のカプセル化パウチは、あらゆる従来の技法を使用して製造できる。より好適には、パウチは水平形態充填のサーモフォーミング技法を使用して製造される。
【実施例】
【００５１】
以下の非限定的な例は、本発明を例示するものである。別途明記しない場合、百分率は重量によるものである。
【００５２】
（実施例１）
メラミンホルムアルデヒドカプセル（８０重量％のコア／２０重量％の壁）による香料マイクロカプセルスラリーの調製
５０％のアクリル酸ブチル−アクリル酸コポリマー乳化剤（Ｃｏｌｌｏｉｄ  Ｃ３５１、固体２５％、ｐｋａ  ４．５〜４．７、Ｋｅｍｉｒａ  Ｃｈｅｍｉｃａｌｓ，Ｉｎｃ．Ｋｅｎｎｅｓａｗ、Ｇｅｏｒｇｉａ  Ｕ．Ｓ．Ａ．）と、５０％のポリアクリル酸（固体３５％、ｐＫａ  １．５〜２．５、Ａｌｄｒｉｃｈ）の混合物１８ｇを５５０グラムの脱イオン水に溶かし、混合する。溶液のｐＨを、水酸化ナトリウム溶液でｐＨ  ３．５に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ、Ｎｅｗ  Ｊｅｒｓｅｙ、Ｕ．Ｓ．Ａ．））６．５グラムを乳化剤溶液に添加する。２００グラムの香料油を機械攪拌しながら前の混合物に加え、温度を６０℃まで上げる。安定なエマルジョンが得られるまでより高速で混合した後、第２の溶液と３．５グラムの硫酸ナトリウム塩をエマルジョンに注ぐ。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．６に調整するための水酸化ナトリウム溶液、部分メチル化メチロールメラミン樹脂（Ｃｙｍｅｌ  ３８５、８０％固形分、Ｃｙｔｅｃ）３０グラムを含有する。この混合物を８５℃に加熱し、連続攪拌しながら８時間維持して、カプセル化プロセスを完了する。アセトアセトアミド（Ｓｉｇｍａ−Ａｌｄｒｉｃｈ、Ｓａｉｎｔ  Ｌｏｕｉｓ、Ｍｉｓｓｏｕｒｉ、Ｕ．Ｓ．Ａ．）２３グラムをこの懸濁液に添加する。
【００５３】
（実施例２）
メラミンホルムアルデヒドカプセル（８４重量％のコア／１６重量％の壁）による香料マイクロカプセルスラリーの調製
２５グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．Ｋｅｎｎｅｓａｗ、Ｇｅｏｒｇｉａ  Ｕ．Ｓ．Ａ．）を脱イオン水２００グラムに溶解し、混合する。溶液のｐＨを、水酸化ナトリウム溶液でｐＨ  ４．０に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ、Ｎｅｗ  Ｊｅｒｓｅｙ、Ｕ．Ｓ．Ａ．））８グラムを乳化剤溶液に添加する。前の混合物に機械攪拌しながら２００グラムの香料油を加え、温度を５０℃まで上げる。安定なエマルションが得られるまでより高速で混合した後、第２の溶液及び４グラムの硫酸ナトリウム塩をこのエマルションに加える。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（Ｃｙｍｅｌ  ３８５、８０％固形分、Ｃｙｔｅｃ）２５グラムを含有する。この混合物を７０℃に加熱し、一晩、連続攪拌し続けて、カプセル化プロセスを完了する。アセトアセトアミド（Ｓｉｇｍａ−Ａｌｄｒｉｃｈ、Ｓａｉｎｔ  Ｌｏｕｉｓ、Ｍｉｓｓｏｕｒｉ、Ｕ．Ｓ．Ａ．）２３グラムをこの懸濁液に加える。７８０型Ａｃｃｕｓｉｚｅｒにより分析したときに３０μｍの平均カプセルサイズを得る。
【００５４】
実施例３試料調製と保管試験
３０％の香料油（後で定義される）を含む実施例２に示した１．８ｇの香料マイクロカプセルを、５０ｇの配合物Ａ〜Ｄ（後述）とガラスジャー（サイズ１００ｍＬ）内で混ぜた。上記の実施例の香料マイクロカプセルのゼータ電位は、−６０ｍｅＶである。ガラスジャーを閉じ、３７℃の炉で２週間保管した。２週間後、試料を測定のために炉から取り出し、２０ｍＬヘッドスペースバイアル内の５ｇの混合物の上のヘッドスペースを測定することによって、カプセルから液体中に漏れ出た香料の量を測定した。
【表２】
0005635619.tif 000004
【００５５】
ヘッドスペース分析
５グラムの洗剤混合物を２０ｍＬヘッドスペースバイアルに入れ、バイアルに蓋をする。全ての試料バイアルを、静止ヘッドスペースサンプラー型名ＨＰ７６９４（Ｈｅｗｌｅｔｔ  Ｐａｃｋａｒｄ、Ａｇｉｌｅｎｔ  Ｔｅｃｈｎｏｌｏｇｉｅｓ、Ｐａｌｏ  Ａｌｔｏ、ＣＡ）の自動サンプラートレー上に置く。ヘッドスペースの分析前に、それぞれのサンプルを４０℃で３０分間事前調整する。３ｍＬのヘッドスペースループをＧＣ−ＭＳシステムに移す（８０℃の非活性移送管により）。無極毛管カラム（ＤＢ−５、３０メートル×０．２５ｍｍ、厚さ１マイクロメートル）のＧＣ分析を行い、質量分析法（ＥＩ、７０ｅＶ検出器）によってヘッドスペース成分（すなわち香料原材料）を監視する。
【００５６】
香油を含む参照（マイクロカプセルのない自由香料）と香料マイクロカプセルを含む生成物の両方のヘッドスペース応答を比較することにより漏出を測定する。それぞれの個々の香料原材料の寄与率に基づいて漏出率を計算し、全香料漏出は、それぞれ個々の香料原材料の全ての漏出率の合計である。
【００５７】
４つの洗剤液体の結果を下の表に示す。
【表３】
0005635619.tif 000005
【００５８】
（実施例４）
下記の表は、本発明の範囲内にある組成物の実施例を表わす。組成物Ａ及びＢは液状組成物を表わす。組成物Ｃは、組成物を厚さ７６μｍの水溶性フィルムＭｏｎｏｓｏｌ  Ｍ８６３０内に封入した一区画パウチ単位用量の実施例である。
【表４】
0005635619.tif 000006
１  −ＮＨ１個あたり２０個のエトキシル基を有するポリエチレンイミン（ＭＷ＝６００）。
（２）ＰＭＣ：香料マイクロカプセル：ゼータ電位−６０ｍｅＶを有するメラミンホルムアルデヒドシェル内にカプセル化された香料油。
【００５９】
（実施例５）
以下は、液体組成物がＰＶＡフィルム内に封入されたパウチ単位用量の実施例である。本実施例で使用される好ましいフィルムは、厚さ７６μｍのＭｏｎｏｓｏｌ  Ｍ８６３０である。実施例Ｄ及びＦは、３つの区画１、２及び３を有するパウチについて述べる。実施例Ｅは、２つの区画を有するパウチについて述べる。
【表５】
0005635619.tif 000007
１  −ＮＨ１個あたり２０個のエトキシル基を有するポリエチレンイミン（ＭＷ＝６００）。
３  ＲＡ＝アルカリ保存性（ＮａＯＨのｇ／用量）
（２）ＰＭＣ：香料マイクロカプセル：ゼータ電位−６０ｍｅＶを有するメラミンホルムアルデヒドシェル内にカプセル化された香料油。
【００６０】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。